(57)【要約】      （修正有）【課題】多段に積み重ねられた上位の容器の周側壁外周面に付着した水滴が上位の容器と下位の容器との間から侵入して下位の容器内に流れ込むのを防ぐことができる容器を提供する。【解決手段】容器は、周側壁１２の外周面１２ａの下部から側方に突出して周方向に沿って延在する凸条部２１を有する。周側壁１２の外周面１２ａの上部から下部に流れ落ちてきた水滴Ｄｃを、凸条部２１によって外周面１２ａから離して下方に落下させることができる。したがって、複数の容器が多段に積み重ねられていた場合に、上位の容器の周側壁１２の外周面１２ａを流れ落ちてきた水滴Ｄｃが、外周面１２ａの下端から底板１１の下面１１ａに伝わって上位の容器と下位の容器との間から侵入して下位の容器の上方開口部から下位の容器の内部に流れ込むのを防ぐことができる。【選択図】図５
0003208343.tif 000002
【実用新案登録請求の範囲】
【請求項１】
底板と周側壁とを有し、多段に積み重ねた場合に前記周側壁が上下に連続して配置される容器であって、
前記周側壁の外周面の下部から側方に突出して周方向に沿って延在する凸条部を有し、  前記凸条部は、前記周側壁の外周面の全周に亘って連続して延在して設けられていることを特徴とする容器。
【請求項２】
前記周側壁は、該周側壁の上端から下方に向かって切り欠かれた切り欠き部を有することを特徴とする請求項１に記載の容器。
【請求項３】
前記凸条部は、上下方向の断面形状が半円形状または矩形状を有することを特徴とする請求項１または２に記載の容器。
【請求項４】
前記凸条部は、前記周側壁の外周面からの突出高さが０．５ｍｍ〜５．０ｍｍであることを特徴とする請求項１から請求項３のいずれか一項に記載の容器。
【考案の詳細な説明】
【技術分野】
【０００１】
本考案は、多段に積み重ねることが可能な容器に関する。
【背景技術】
【０００２】
従来から、多段に積み重ねることが可能な構成を有する容器が公知となっている（特許文献１）。特許文献１の容器は、上下に積み重ねた場合に、下位の容器の周側壁の上方に、上位の容器の周側壁が連続して配置され、下位の容器の上方開口部が上位の容器の底板で閉塞される構造を有している。
【先行技術文献】
【特許文献】
【０００３】
【特許文献１】特開２００８−１９５４１１号公報
【考案の概要】
【考案が解決しようとする課題】
【０００４】
例えば保冷庫に保管していた容器を外に出したときに結露が生じ、容器の周側壁の外周面に水滴が付着することがある。したがって、容器を多段に積み重ねていた場合に、上位の容器の周側壁の外周面に付着した水滴が流れ落ちて、上位の容器と下位の容器との間から侵入して下位の容器の上方開口部を通過し、下位の容器の内部に流れ込み、下位の容器内の収容物に付着して収容物が水滴で濡れてしまうおそれがある。
【０００５】
本考案は、上記の点に鑑みてなされたものであり、その目的とするところは、多段に積み重ねられた上位の容器の周側壁外周面に付着した水滴が上位の容器と下位の容器との間から侵入して下位の容器内に流れ込むのを防ぐことができる容器を提供することである。
【課題を解決するための手段】
【０００６】
上記課題を解決する本考案の容器は、底板と周側壁とを有し、多段に積み重ねた場合に前記周側壁が上下に連続して配置される容器であって、前記周側壁の外周面の下部から側方に突出して周方向に沿って延在する凸条部を有し、前記凸条部は、前記周側壁の外周面の全周に亘って連続して延在して設けられていることを特徴とする。
【０００７】
本考案による容器は、周側壁の外周面の下部から側方に突出して周方向に沿って延在する凸条部を有するので、周側壁の外周面の上部から下部に流れ落ちてきた水滴を、凸条部によって外周面から離して下方に落下させることができる。したがって、容器を多段に積み重ねていた場合に、上位の容器の周側壁の外周面を流れ落ちてきた水滴が、上位の容器と下位の容器との間から侵入して下位の容器の上方開口部から下位の容器の内部に流れ込むのを防ぐことができる。
【０００８】
そして、凸条部が周側壁の外周面の全周に亘って連続して延在して設けられているので、周側壁の外周面の全周において、水滴が上位の容器と下位の容器との間から侵入するのを防ぎ、下位の容器の上方開口部から下位の容器の内部に流れ込むのを確実に防止できる。
【０００９】
本考案による容器の好ましい態様では、前記周側壁は、該周側壁の上端から下方に向かって切り欠かれた切り欠き部を有することを特徴とする。本考案によれば、容器を多段に積み重ねていた場合に、下位の容器の切り欠き部の上方で、上位の容器の周側壁の外周面を流れ落ちてきた水滴を凸条部によって外周面から離して下方に落下させることができる。したがって、水滴が下位の容器の切り込み部から下位の容器の内部に流れ込むのを防ぐことができる。
【００１０】
本考案による容器の好ましい態様では、前記凸条部は、上下方向の断面形状が半円形状もしくは矩形状を有することを特徴とする。本考案は、凸条部の具体的な形状を規定したものであり、容器の周側壁の外周面を流れ落ちてきた水滴を外周面から離して下方に円滑に落下させることができる。
【考案の効果】
【００１１】
本考案によれば、容器が多段に積み重ねられた状態で、上位の容器の周側壁の外周面を流れ落ちてきた水滴が下位の容器内に流れ込むのを防ぐことができ、下位の容器に収容されている収容物が濡れるのを防ぐことができる。
【図面の簡単な説明】
【００１２】
【図１】本考案による容器の一形態を示す斜視図。
【図２】図１に示す容器の側面図。
【図３】図２のＡ部拡大図。
【図４】図１に示す容器を２段に段積みした状態を示す側面図。
【図５】本考案による容器における凸条部の作用効果を説明する図。
【図６】本考案による容器における凸条部の他の形態を示す断面図。
【図７】本考案による容器における凸条部の他の形態を示す断面図。
【図８】本考案による容器における凸条部の他の形態を示す断面図。
【図９】本考案による容器の参考例を示す側面図。
【図１０】図９に示す容器を２段に段積みした状態を示す側面図。
【考案を実施するための形態】
【００１３】
以下、図面を参照して本考案による容器の形態を説明する。
【００１４】
［第１実施の形態］
図１は、本考案による容器の一形態を示す斜視図、図２は、図１に示す容器の側面図、図３は、図２のＡ部拡大図、図４は、図１に示す容器を２段に段積みした状態を示す側面図である。
【００１５】
本実施の形態における容器１０は、低温状態を所定時間保つことができる保冷容器であり、予備発泡した発泡ポリスチレン粒子を型内発泡成形法により発泡成形して作られた一体成形品である。
【００１６】
容器１０は、上方が開放された有底の箱型容器である。容器１０は、上下方向に多段に積み重ねた場合に各容器１０の周側壁１２どうしが上下に連続して配置され、すなわち、下位の容器１０の周側壁１２の上方に、上位の容器１０の周側壁１２が連続して配置され、下位の容器１０の上方開口部１３が上位の容器１０の底板１１で閉塞される構造を有している。
【００１７】
底板１１は、平面視で長方形を有している。周側壁１２は、底板１１の周縁部から立ち上がる周状の側壁である。周側壁１２の上部には、上方に向かって開口する上方開口部１３が形成されている。周側壁１２は、底板１１の一対の長辺部から立ち上がり対峙する一対の長辺側側壁１４、１４と、底板１１の一対の短辺部から立ち上がり対峙する一対の短辺側側壁１５、１５とからなる。
【００１８】
長辺側側壁１４、１４と短辺側側壁１５、１５は、互いに同じ高さ寸法を有しており、各上端面１４ａ、１５ａは底板１１と平行な載置面を構成し、容器１０を多段に積み重ねた場合に、上位の容器１０の底板１１の下面１１ａと接面するようになっている。そして、短辺側側壁１５、１５の上端面１５ａ、１５ａには、下方に向かって切り欠かれた切り欠き部１６、１６が設けられている。切り欠き部１６、１６は、短辺側側壁１５、１５の厚さ方向全幅に亘る形状を有しており、容器１０を多段に積み重ねた場合に、容器１０の内部と外部との間を連通する開口部を形成し、開口部から容器１０内に冷気を取り込み、収容物を冷やすことができるようになっている。
【００１９】
周側壁１２の外周面１２ａは、底板１１に対して垂直であり、水滴が付着した場合に下方に向かって円滑に流れ落ちることができるようになっている。底板１１の下面１１ａには、周側壁１２の上方開口部１３に内嵌合できる大きさの凸部１７が形成されている。この凸部１７があることで、容器１０を上下方向に段積みする作業が容易となり、段積み姿勢も安定する。底板１１の下面１１ａの外周端縁は、図３に示すように、Ｒ形状に面取り加工されている。
【００２０】
周側壁１２の外周面１２ａには、凸条部２１が設けられている。凸条部２１は、図２及び図３に示すように、外周面１２ａの下部から側方に突出して周方向に沿って延在しており、本実施の形態では、外周面１２ａの下端で外周面１２ａの全周に亘って連続して延在するように設けられている。凸条部２１は、周側壁１２の外周面１２ａを伝って上部から下部に流れてきた水滴を、外周面１２ａから離して下方に滴下させることができる大きさ及び形状を有している。凸条部２１は、本実施の形態では、上下方向の断面形状が半円形状を有している。そして、凸条部２１の外周面１２ａからの突出高さは、０．５ｍｍ〜５．０ｍｍが好ましい。
【００２１】
凸条部２１は、複数の容器１０が多段に積み重ねられていた場合に、上位の容器１０の周側壁１２の外周面１２ａを伝わって流れ落ちてきた水滴を外周面１２ａから離して下方に滴下させることができる。したがって、上位の容器１０の周側壁１２の外周面１２ａを流れ落ちてきた水滴が、外周面１２ａの下端から底板１１の下面１１ａに伝わって上位の容器１０と下位の容器１０との間から侵入して下位の容器１０の上方開口部１３から下位の容器１０の内部に流れ込むのを防ぐことができる。
【００２２】
図５は、本考案による容器における凸条部の作用効果を説明する図であり、下位の容器と上位の容器との間を拡大して断面により示したものである。
【００２３】
例えば容器１０を多段に積み重ねた場合、下位の容器１０の周側壁１２の上端面に、上位の容器１０の底板１１の下面１１ａが接面した状態で載置され、下位の容器１０の上方開口部１３に上位の容器１０の底板１１の凸部１７が内嵌合される。そして、下位の容器１０の周側壁１２の外周面１２ａと上位の容器１０の周側壁１２の外周面１２ａとが上下に並んで配置される。
【００２４】
例えば容器１０を保冷庫から取り出して常温の環境下に置くこと等によって結露が生じた場合に、外周面１２ａに付着した水滴Ｄｃが、図５に矢印で示すように、外周面１２ａの上部から下部に流れ落ちる。水滴Ｄｃは、周側壁１２の外周面１２ａを伝って上部から下部に流れ落ちてくると、容器１０の外周面１２ａの下端に設けられている凸条部２１に到達し、凸条部２１を乗り越えようとして、周側壁１２の外周面１２ａから離れる方向に誘導され、凸条部２１の突出端から下方に落下する。
【００２５】
凸条部２１は、周側壁１２の外周面１２ａから側方に突出しているので、上位の容器１０の凸条部２１から落下した水滴Ｄｃは、下位の容器１０の外周面１２ａから離れた位置を落下する。すなわち、上位の容器１０の凸条部２１は、凸条部２１から落下した水滴Ｄｃを、そのままどこにも触れずに周側壁の上端面よりも下方に落下させることができ、水滴Ｄｃが上位の容器１０と下位の容器１０との間から侵入するのを防ぐことができる。
【００２６】
図６から図８は、本考案による容器における凸条部の他の形態を示す断面図である。
【００２７】
上記した例では、凸条部２１は、上下方向の断面形状が半円形状である場合について説明したが、外周面１２ａを上部から下部に流れ落ちてきた水滴Ｄｃを外周面１２ａから離す方向に誘導して落下させる形状であればよい。
【００２８】
例えば図６に示す凸条部２２は、断面が矩形であり、外周面１２ａに直交する水平な上面２２ａと、上面２２ａの突出端で折曲されて外周面１２ａと平行に下がる縦面２２ｂと、縦面２２ｂの下端で折曲されて外周面１２ａに直交する水平な下面２２ｃを有している。凸条部２２は、外周面１２ａを上部から下部に流れ落ちてきた水滴Ｄｃを、上面２２ａで受け止めて外周面１２ａから離れた位置の縦面２２ｂに誘導し、縦面２２ｂから下方に落下させることができる。したがって、凸条部２２から落下した水滴Ｄｃを、そのままどこにも触れずに周側壁の上端面よりも下方に落下させることができ、水滴Ｄｃが上位の容器１０と下位の容器１０との間から侵入するのを防ぐことができる。
【００２９】
図７に示す凸条部２３は、図６に示す凸条部２２の上面２２ａの代わりに、Ｒ湾曲面２３ａを有する。Ｒ湾曲面２３ａは、外周面１２ａと縦面２２ｂとの間でＲ状に湾曲しており、外周面１２ａから縦面２２ｂまで水滴Ｄｃを円滑に誘導することができ、外周面１２ａと凸条部２３との間に水滴Ｄｃが溜まるのを防ぐことができる。
【００３０】
図８に示す凸条部２４は、図６に示す凸条部２２の上面２２ａの代わりに、傾斜面２４ａを有する。傾斜面２４ａは、下方に移行するにしたがって外周面１２ａから離間する方向に傾斜しており、外周面１２ａから縦面２２ｂまで水滴Ｄｃを円滑に誘導することができ、外周面１２ａと凸条部２３との間に水滴Ｄｃが溜まるのを防ぐことができる。
【００３１】
凸条部２２、２３、２４は、いずれも縦面２２ｂと下面２２ｃとの間が直角になっているので、凸条部２１と比較して、水滴Ｄｃを縦面２２ｂから下方に落下させやすいという作用効果を有している。
【００３２】
なお、上記した実施の形態では、外周面１２に対して凸条部２１が一つである場合を例に説明したが、例えば外周面１２の下部で上下に所定間隔をおいて並んで複数設けてもよく、さらに、これら複数の凸条部２１の突出高さを上下で互いに異ならせる構成としてもよい。外周面１２ａの下部に上下に複数の凸条部２１を設けることにより、上側の凸条部２１で落としきれなかった水滴を、下側の凸条部２１で落とすことができ、外周面１２ａを流れ落ちる水滴を外周面１２ａから確実に離して下方に落下させることができる。また、例えば外周面１２ａからの上側の凸条部２１の突出高さを下側の凸条部２１の突出高さを高くすることによって、上側の凸条部２１で落とした水滴が下側の凸条部２１に付着するのを防ぐことができる。
【００３３】
［参考例］
次に、本考案による容器の参考例について説明する。なお、第１実施の形態と同様の構成要素については同一の符号を付することでその詳細な説明を省略する。
【００３４】
図９は、本考案による容器の参考例を示す側面図、図１０は、図９に示す容器を２段に段積みした状態を示す側面図である。
【００３５】
本参考例において特徴的なことは、凸条部を切り欠き部に対応する位置に部分的に設けたことである。
【００３６】
容器１０は、多段に積み重ねた場合、下位の容器１０の周側壁１２の上端面が上位の容器１０の底板１１の下面１１ａに接面しているが、容器１０には、短辺側側壁１５、１５の上部に切り欠き部１６、１６が設けられている。切り欠き部１６、１６は、短辺側側壁１５、１５の厚さ方向全幅に亘る形状を有しており（図１を参照）、容器１０を多段に積み重ねた場合に、容器１０の内部と外部との間を連通する開口部を形成する。したがって、下位の容器１０の切り欠き部１６、１６の上方位置で、上位の容器１０の外周面１２ａの水滴Ｄｃが上部から下部に流れ落ちてきた場合に、下位の容器１０の切り欠き部１６、１６を通過して下位の容器１０内に侵入する可能性がある。
【００３７】
本参考例では、切り欠き部１６、１６に対応する位置に凸条部２５を部分的に設けて、下位の容器１０の切り欠き部１６、１６の上方位置で上位の容器１０の外周面１２ａを流れ落ちてきた水滴を凸条部２５で落下させる。そして、水滴Ｄｃが下位の容器１０の切り欠き部１６、１６を通過して上方開口部１３から下位の容器１０内に侵入するのを積極的に防止している。
【００３８】
以下、本参考例における凸条部２５の構成について説明する。
【００３９】
凸条部２５は、外周面１２ａの下部から側方に突出して周方向に沿って延在しており、本参考例では、外周面１２ａの下端で外周面１２ａに部分的に延在するように設けられている。凸条部２５は、第１実施の形態の凸条部２１と同様に、上下方向の断面形状が半円形状を有している。凸条部２５は、切り欠き部１６の長さＬ１以上の長さＬ２であり（Ｌ１≦Ｌ２）、本参考例では、両端がそれぞれ切り欠き部１６の端部よりも外側に位置するように、切り欠き部１６の下方に配置されている。
【００４０】
したがって、下位の容器１０の切り欠き部１６、１６の上方位置で、上位の容器１０の外周面１２ａの水滴Ｄｃが上部から下部に流れ落ちてきた場合に、上位の容器１０の凸条部２５によって外周面１２ａから離す方向に誘導し、凸条部２５から下方に落下させて、そのままどこにも触れずに下位の容器１０の周側壁１２の上端面よりも下方に落下させることができ、水滴Ｄｃが切り欠き部１６を通過して下位の容器１０内に侵入するのを効果的に防ぐことができる。
【００４１】
なお、本考案の構成は、上記した実施の形態に限定されるものではなく、本考案の主旨を逸脱しない範囲で種々の変更が可能である。例えば、上記した実施形態では、容器１０を多段に積み重ねることにより、下位の容器１０の上方開口部１３が上位の容器１０の底板１１で閉塞される構成の場合について説明したが、別個に用意した蓋板によって上方開口部１３を閉塞する容器であってもよい。
【００４２】
また、上記した実施の形態では、周側壁１２の外周面１２ａに結露が生じやすい容器として保冷容器に適用した場合について説明したが、容器は、保冷容器に限定されるものではなく、保冷機能のない容器であってもよい。
【符号の説明】
【００４３】
１０  容器
１１  底板
１１ａ  下面
１２  周側壁
１２ａ  外周面
１３  上方開口部
１４  長辺側側壁
１４ａ  上端面
１５  短辺側側壁
１５ａ  上端面
１６  切り欠き部
２１〜２５  凸条部
Ｄｃ  水滴
【図１】
0003208343.tif 000003
【図２】
0003208343.tif 000004
【図３】
0003208343.tif 000005
【図４】
0003208343.tif 000006
【図５】
0003208343.tif 000007
【図６】
0003208343.tif 000008
【図７】
0003208343.tif 000009
【図８】
0003208343.tif 000010
【図９】
0003208343.tif 000011
【図１０】
0003208343.tif 000012